(57)【要約】【課題】蓄電装置の充放電の有用性を向上させる。【解決手段】蓄電装置１０は蓄電部１９と放電部２０と通信部２１と制御部２２とを有する。放電部２０は蓄電部１９の放電の実行および停止を切替える。通信部２１は自身とは異なる別の蓄電装置と通信する。制御部２２は自身の蓄電部１９の電気的状態から別の蓄電装置１０の蓄電部１９の電気的状態を減じた差が第１の閾値を超える場合放電部２０に放電を実行させる。【選択図】図１
2020141463.tif 000002
【特許請求の範囲】
【請求項１】
蓄電部と、
前記蓄電部の放電の実行および停止を切替える放電部と、
自身とは異なる別の蓄電装置と通信する通信部と、
自身の前記蓄電部の電気的状態から、前記別の蓄電装置の蓄電部の電気的状態を減じた差が第１の閾値を超える場合、前記放電部に放電を実行させる制御部と、を備える
蓄電装置。
【請求項２】
請求項１に記載の蓄電装置において、
前記制御部は、前記別の蓄電装置の蓄電部の電気的状態と、自身の前記蓄電部の電気的状態との差が第１の閾値より小さい第２の閾値を超える場合、開閉により前記蓄電部の通電停止状態および通電可能状態を切替えるスイッチを、閉じさせる
蓄電装置。
【請求項３】
請求項２に記載の蓄電装置において、
前記制御部は、前記別の蓄電装置の蓄電部の電気的状態と、自身の前記蓄電部の電気的状態との差が前記第２の閾値未満である場合、前記蓄電部の電力を調整する電力変換装置に、自身の蓄電装置からの電力の入出力の許可を示す情報を通知する
蓄電装置。
【請求項４】
蓄電部と、前記蓄電部の放電の実行および停止を切替える放電部とを有する第１の蓄電装置の制御方法であって、
前記第１の蓄電装置の蓄電部の電気的状態から、前記第１の蓄電装置とは異なる別の蓄電装置の蓄電部の電気的状態を減じた差が第１の閾値を超える場合、前記第１の蓄電装置の放電部に放電を実行させる
蓄電装置の制御方法。
【発明の詳細な説明】
【技術分野】
【０００１】
本発明は、蓄電装置および蓄電装置の制御方法に関するものである。
【背景技術】
【０００２】
複数の組電池を並列に接続し、当該複数の組電池の入出力する直流電力の直交変換を行うパワーコンディショナと組合わせた蓄電システムが知られている。また、蓄電システムでは、各組電池およびパワーコンディショナの間にスイッチが設けられ、組電池毎にパワーコンディショナとの間における導通および遮断が切替えられる。このような構成において、遮断中において電圧の異なる複数の組電池のスイッチを導通に切替える際に、過大な突入電流によりスイッチおよび組電池が故障する可能性がある。それゆえ、全スイッチを導通に切替える前に、全組電池を個別に充放電させることが提案されている（特許文献１参照）。
【先行技術文献】
【特許文献】
【０００３】
【特許文献１】特開２０１３−１７９７８０号公報
【発明の概要】
【発明が解決しようとする課題】
【０００４】
並列に接続されて使用される、組電池を含む蓄電装置の充放電の有用性を向上させることが望まれている。
【０００５】
従って、上記のような従来技術の問題点に鑑みてなされた本開示の目的は、充放電の有用性を向上させた蓄電装置を提供することにある。
【課題を解決するための手段】
【０００６】
上述した諸課題を解決すべく、第１の観点による蓄電装置は、
蓄電部と、
前記蓄電部の放電の実行および停止を切替える放電部と、
自身とは異なる別の蓄電装置と通信する通信部と、
自身の前記蓄電部の電気的状態から、前記別の蓄電装置の蓄電部の電気的状態を減じた差が第１の閾値を超える場合、前記放電部に放電を実行させる制御部と、を備える。
【０００７】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【０００８】
例えば、本発明の第２の観点として実現させた蓄電装置の制御方法は、
蓄電部と、前記蓄電部の放電の実行および停止を切替える放電部とを有する第１の蓄電装置の制御方法であって、
前記第１の蓄電装置の蓄電部の電気的状態から、前記第１の蓄電装置とは異なる別の蓄電装置の蓄電部の電気的状態を減じた差が第１の閾値を超える場合、前記第１の蓄電装置の放電部に放電を実行させる。
【発明の効果】
【０００９】
上記のように構成された本開示に係る電力変換装置によれば、蓄電装置の充放電の有用性が向上し得る。
【図面の簡単な説明】
【００１０】
【図１】一実施形態に係る蓄電装置を含む蓄電システムの概略構成を示す機能ブロック図である。
【図２】図１の蓄電装置の制御部が実行する、第１の蓄電装置バランス処理を説明するためのフローチャートである。
【図３】図１の蓄電装置の制御部が実行する、第２の蓄電装置バランス処理を説明するための第１のフローチャートである。
【図４】図１の蓄電装置の制御部が実行する、第２の蓄電装置バランス処理を説明するための第２のフローチャートである。
【図５】図１の複数の蓄電装置の通信部のみを接続させた状態を示す機能ブロック図である。
【発明を実施するための形態】
【００１１】
以下、一実施形態について、図面を参照して説明する。
【００１２】
図１に示すように、一実施形態に係る蓄電装置１０を含む蓄電システム１１は、電力変換装置１２、複数の蓄電装置１０を有する。電力変換装置１２は、系統１５に接続されている。また、電力変換装置１２は、互いに並列に接続される複数の蓄電装置１０に、接続されている。図１において、各機能ブロックを結ぶ実線は、電力の流れを示す。また、各機能ブロックを結ぶ破線は、制御信号または通信される情報の流れを示す。破線が示す通信は有線通信であってもよいし、無線通信であってもよい。
【００１３】
電力変換装置１２は、電源回路部１６、通信部１７、メインスイッチ１３、および制御部１８を有している。
【００１４】
電源回路部１６は、蓄電装置１０の蓄電部１９から供給される直流電力を所望の特性の交流電力に変換するように調整して、系統１５に出力する。また、電源回路部１６は、系統１５から供給される交流電力を所望の特性の直流電力に変換するように調整して、蓄電部１９に出力する。
【００１５】
通信部１７は、例えば、有線または無線により、蓄電装置１０と通信する。通信部１７は、蓄電装置１０以外の、例えば、電力変換装置１２を監視するサーバ、電力変換装置１２が設置される需要家施設の電力の管理を行う電力管理装置などの外部機器と通信してもよい。
【００１６】
メインスイッチ１３は、例えば、継電リレーである。メインスイッチ１３は、電源回路部１６および複数の蓄電装置１０の間に設けられている。メインスイッチ１３は、蓄電装置１０および電力変換装置１２の間の通電可能状態および遮断状態のいずれかに切替える。メインスイッチ１３は、制御部１８による制御に基づいて開閉することにより、通電可能状態および遮断状態を切替える。なお、メインスイッチ１３は、電力変換装置１２の外部に設けられていてもよい。
【００１７】
制御部１８は、１又は複数のプロセッサを含む。プロセッサには、特定のプログラムを読み込ませて特定の機能を実行する汎用のプロセッサ、特定の処理に特化した専用のプロセッサが含まれる。専用のプロセッサには、特定用途向けＩＣ（ＡＳＩＣ；  Ａｐｐｌｉｃａｔｉｏｎ  Ｓｐｅｃｉｆｉｃ  Ｉｎｔｅｇｒａｔｅｄ  Ｃｉｒｃｕｉｔ）が含まれる。プロセッサには、プログラマブルロジックデバイス（ＰＬＤ；  Ｐｒｏｇｒａｍｍａｂｌｅ  Ｌｏｇｉｃ  Ｄｅｖｉｃｅ）が含まれる。ＰＬＤには、ＦＰＧＡ（Ｆｉｅｌｄ−Ｐｒｏｇｒａｍｍａｂｌｅ  Ｇａｔｅ  Ａｒｒａｙ）が含まれる。制御部１８は、一つ又は複数のプロセッサが協働するＳｏＣ（Ｓｙｓｔｅｍ  ｏｎ  ａ  Ｃｈｉｐ）、及びＳｉＰ（Ｓｙｓｔｅｍ  Ｉｎ  ａ  Ｐａｃｋａｇｅ）のいずれかであってよい。
【００１８】
制御部１８は、通信部１７を介して、蓄電装置１０から取得する、電力の入出力の適否に関する情報に基づいて、メインスイッチ１３を開閉する。電力の入出力の適否に関する情報とは、自身の蓄電装置１０および電力変換装置１２の通電が可能であるか否かを判別させる情報である。電力の入出力の適否に関する情報は、例えば、蓄電装置１０の通電の許可を示す情報、蓄電装置１０の通電の禁止を示す情報、蓄電装置１０の通電禁止の停止を示す情報、および別の蓄電装置１０との電気的状態の差を示す情報などである。
【００１９】
なお、電力の入出力の適否に関する情報において、例えば、蓄電装置１０の通電の許可を示す情報、蓄電装置１０の通電禁止の停止を示す情報、および後述する第２の閾値以下である電気的状態の差を示す情報が、電力の入出力の許可を示す情報として認定される。また、電気の入出力の適否に関する情報において、例えば、蓄電装置１０の通電の禁止を示す情報、および第２の閾値を超える電気的状態の差を示す情報が、電力の入出力の禁止を示す情報として認定される。
【００２０】
制御部１８は、すべての蓄電装置１０から取得する当該情報が電力の入出力の許可を示す情報である場合、メインスイッチ１３を閉じて、電源回路部１６と蓄電装置１０とを通電可能な状態に切替える。さらに、制御部１８は、すべての蓄電装置１０から取得する当該情報が電力の入出力の許可を示す場合、全蓄電装置１０に蓄電システム１１の運転を開始する情報を通知する。
【００２１】
なお、制御部１８は、少なくとも１部の蓄電装置１０から取得する当該情報が電力の入出力の禁止を示す情報である場合、メインスイッチ１３を開いて、電源回路部１６と蓄電装置１０とを遮断状態に切替える。また、制御部１８は、電源回路部１６による直流電力および交流電力の調整を制御する。また、制御部１８は、通信部１７を介して、蓄電装置１０以外の外部機器と通信してよい。
【００２２】
蓄電装置１０は、蓄電部１９、サブスイッチ１４、放電部２０、通信部２１、および制御部２２を有している。
【００２３】
蓄電部１９は、リチウムイオン電池などの二次電池を含んでおり、蓄電または放電を行う。本実施形態において、蓄電部１９は、直列に接続された複数の電池セルを有している。なお、複数の電池セルは、並列に接続されていても、直列と並列との組合わせによって接続されていてもよい。
【００２４】
サブスイッチ１４は、例えば、継電リレーである。サブスイッチ１４は、電力変換装置１２のメインスイッチ１３、および蓄電部１９の間に直列に接続されている。サブスイッチ１４は、メインスイッチ１３側において、他のサブスイッチ１４に並列に接続されている。サブスイッチ１４は、蓄電装置１０の通電可能状態および通電停止状態を切替える。サブスイッチ１４は、制御部２２による制御に基づいて開閉することにより、通電可能状態および通電停止状態を切替える。なお、サブスイッチ１４は、蓄電装置１０の外部に設けられていてもよい。
【００２５】
放電部２０は、例えば、ＦＥＴなどのスイッチ素子および抵抗を有し、蓄電部１９の放電の実行および停止を切替える。本実施形態において、放電部２０はセルバランス回路であって、複数の電池セルそれぞれの電圧を電気的状態として検出して制御部２２に通知する。なお、放電部２０は、蓄電部１９全体を放電可能な放電回路であってもよい。なお、検出される電気的状態は、電圧に限定されず、電池セルの充電状態（ＳＯＣ：Ｓｔａｔｅ  Ｏｆ  Ｃｈａｒｇｅ）などであってもよい。また、放電部２０は、制御部２２の制御に基づいて、少なくとも一部の電池セルの放電または充電を行う。
【００２６】
通信部２１は、自身とは異なる別の蓄電装置１０と通信する。通信部２１は、さらに、電力変換装置１２の通信部１７と通信してよい。
【００２７】
制御部２２は、１又は複数のプロセッサを含む。プロセッサには、特定のプログラムを読み込ませて特定の機能を実行する汎用のプロセッサ、特定の処理に特化した専用のプロセッサが含まれる。専用のプロセッサには、特定用途向けＩＣ（ＡＳＩＣ）が含まれる。プロセッサには、プログラマブルロジックデバイス（ＰＬＤ）が含まれる。ＰＬＤには、ＦＰＧＡが含まれる。制御部２２は、一つ又は複数のプロセッサが協働するＳｏＣ、及びＳｉＰのいずれかであってよい。
【００２８】
制御部２２は、自身の蓄電装置１０の蓄電部１９（以後、「自身の蓄電部１９」とも言う。）全体の電気的状態を取得する。前述のように、本実施形態において、制御部２２は、セルバランス回路である放電部２０が検出する電気的状態を取得する。制御部２２は、放電部２０以外の電圧センサなどから、蓄電部１９全体の電気的状態を取得してもよい。
【００２９】
制御部２２は、自身の蓄電部１９全体の電気的状態を、同じ蓄電システム１１を構成する別の蓄電装置１０に、通信部２１を介して、通知する。同じ蓄電システム１１を構成する別の蓄電装置１０は、自身の通信部２１と有線で接続された通信部２１を有する蓄電装置１０を含んでよい。または、同じ蓄電システム１１を構成する別の蓄電装置１０は、自身の通信部２１と無線で接続されるように設定された通信部２１を有する蓄電装置１０を含んでよい。制御部２２は、通信部２１を介して、別の蓄電装置１０から当該別の蓄電装置１０の蓄電部１９（以後、「別の蓄電部１９」とも言う。）の電気的状態を取得する。
【００３０】
制御部２２は、自身の蓄電部１９と別の蓄電部１９との電気的状態の差が第１の閾値を超える場合、放電部２０に放電を実行させる。第１の閾値は、並列に接続された複数の蓄電装置１０を通電させる場合に、各蓄電装置１０および各サブスイッチ１４の少なくともいずれかが故障する可能性が高くなる、当該電気的状態の差に定められている。制御部２２は、自身の蓄電部１９と別の蓄電部１９との電気的状態の差が第１の閾値以下となる場合、放電部２０に放電をさせなくてよい。
【００３１】
本実施形態において、制御部２２は、自身の蓄電部１９の電気的状態である電圧値から、別の蓄電装置１０の蓄電部１９の電圧値を減じた差が第１の閾値を超える場合、第１の目標電圧を算出する。第１の目標電圧は、別の蓄電装置１０の蓄電部１９の電圧値に第１の差分値を付加した値である。第１の差分値は、第１の閾値以下に定められている。制御部２２は、自身の蓄電部１９の電圧値が第１の目標電圧に到達するまで、放電部２０に放電を実行させる。なお、制御部２２は、複数の別の蓄電装置１０に接続される構成においては、複数の蓄電装置１０それぞれから取得する電圧値の最低値を用いて、第１の目標電圧の算出および放電を実行する。
【００３２】
また、制御部２２は、自身の蓄電部１９と別の蓄電部１９との電気的状態の差が第１の閾値以下で第２の閾値を超える場合、自身の蓄電部１９に接続されるサブスイッチ１４を閉じて、蓄電部１９を通電可能な状態に切替える。第２の閾値は、第１の閾値より小さな値に定められている。第２の閾値は、並列に接続された複数の蓄電装置１０から電力変換装置１２への出力を行う場合、各蓄電装置１０、メインスイッチ１３、および各サブスイッチ１４を徐々に損傷させる、当該電気的状態の差に定められている。
【００３３】
本実施形態において、制御部２２は、自身の蓄電部１９の電気的状態である電圧値から、別の蓄電装置１０の蓄電部１９の電圧値を減じた差の絶対値が、第１の閾値以下で第２の閾値を超える場合、第２の上側目標電圧または第２の下側目標電圧を算出する。第２の上側目標電圧および第２の下側目標電圧は、自身の蓄電部１９と別の蓄電装置１０の蓄電部１９とを並列に通電させた状態において、両者の蓄電部１９の電圧が平衡となる電圧を上下に挟む電圧値である。第２の上側目標電圧および第２の下側目標電圧の差分は、第２の差分値である。第２の差分値は、第２の閾値以下に定められている。制御部２２は、自身の蓄電部１９および別の蓄電部１９の電圧値、容量、ＳＯＨ（Ｓｔａｔｅ  Ｏｆ  Ｈｅａｌｔｈ）などに基づいて、第２の上側目標電圧または第２の上側目標電圧を算出してよい。
【００３４】
本実施形態において、制御部２２は、自身の蓄電部１９の電圧値から別の蓄電部１９の電圧値を減じた差が第２の閾値より大きい場合、自身の蓄電部１９の電圧値が第２の上側目標電圧に到達するまで、サブスイッチ１４を閉じて蓄電部１９を通電可能な状態に切替える。制御部２２は、自身の蓄電部１９の電圧値から別の蓄電部１９の電圧値を減じた差が極性を負に反転させた第２の閾値より小さい場合、自身の蓄電部１９の電圧値が第２の下側目標電圧に到達するまで、サブスイッチ１４を閉じて蓄電部１９を通電可能な状態に切替える。なお、制御部２２は、複数の別の蓄電装置１０に接続される構成においては、自身を含むすべての蓄電装置１０の蓄電部１９の電圧値の最大値および最小値の差が、第２の差分値以下になるように、第２の上側目標電圧または第２の下側目標電圧の算出および放電を実行する。
【００３５】
また、制御部２２は、自身の蓄電部１９と別の蓄電部１９との電気的状態の差が第２の閾値以下である場合、自身の蓄電部１９に接続されるサブスイッチ１４を開いて、蓄電部１９を通電停止の状態に切替える。さらに、制御部２２は、通信部２１を介して電力変換装置１２に、電力の入出力の許可を示す情報を通知する。また、制御部２２は、電力変換装置１２から蓄電システム１１の運転を開始する情報を取得する場合、自身の蓄電部１９に接続されるサブスイッチ１４を閉じて、蓄電部１９を通電可能な状態に切替える。
【００３６】
次に、本実施形態において蓄電装置１０の制御部２２が実行する、第１の蓄電装置バランス処理について、図２のフローチャートを用いて説明する。第１の蓄電装置バランス処理は、通信部２１が電力変換装置１２と通信不可で且つサブスイッチ１４に接続されていない状態でありながら、通信部２１が別の蓄電装置１０の通信部２１と通信可能になるとき、開始する。前述のように、複数の蓄電装置１０のそれぞれの通信部２１が有線で接続されるとき、または複数の蓄電装置１０のそれぞれの通信部２１が無線で接続されるように設定されるとき、当該複数の蓄電装置１０は通信可能となる。
【００３７】
ステップＳ１００において、制御部２２は、放電部２０から蓄電部１９全体の電圧値を取得する。電圧値の取得後、プロセスはステップＳ１０１に進む。
【００３８】
ステップＳ１０１では、制御部２２は、通信部２１を介して、接続されている別の蓄電装置１０と通信して、それぞれの蓄電部１９全体の電圧値を取得し、自身の蓄電部１９全体の電圧値を通知する。通信後、プロセスはステップＳ１０２に進む。
【００３９】
ステップＳ１０２では、制御部２２は、ステップＳ１００において取得した電圧値が、ステップＳ１０１において取得した電圧値と比べて、最低値であるか否かを判別する。最低値である場合、第１の蓄電装置バランス処理は終了する。最低値で無い場合、プロセスはステップＳ１０３に進む。
【００４０】
ステップＳ１０３では、制御部２２は、ステップＳ１００において取得した電圧値から、ステップＳ１０１において取得した電圧値の中の最低値を減じた差が、第１の閾値を超えるか否かを判別する。第１の閾値を超えない場合、第１の蓄電装置バランス処理は終了する。第１の閾値を超える場合、プロセスはステップＳ１０４に進む。
【００４１】
ステップＳ１０４では、制御部２２は、第１の目標電圧を算出する。算出後、プロセスはステップＳ１０５に進む。
【００４２】
ステップＳ１０５では、制御部２２は、蓄電部１９の放電を、放電部２０に開始させる。放電開始後、プロセスはステップＳ１０６に進む。
【００４３】
ステップＳ１０６では、制御部２２は、放電部２０から蓄電部１９全体の電圧値を取得する。電圧値の取得後、プロセスはステップＳ１０７に進む。
【００４４】
ステップＳ１０７では、制御部２２は、ステップＳ１０６において取得した電圧値が、ステップＳ１０４において算出した第１の目標電圧に到達したか否か、すなわち、電圧値が第１の目標電圧以下であるか否かを判別する。第１の目標電圧に到達していない場合、プロセスはステップＳ１０６に戻る。第１の目標電圧に到達した場合、プロセスはステップＳ１０８に進む。
【００４５】
ステップＳ１０８では、制御部２２は、蓄電部１９の放電を、放電部２０に停止させる。放電停止後、第１の蓄電装置バランス処理は終了する。
【００４６】
次に、本実施形態において蓄電装置１０の制御部２２が実行する、第２の蓄電装置バランス処理について、図３、４のフローチャートを用いて説明する。第２の蓄電装置バランス処理は、少なくとも別の蓄電装置１０の通信部２１と通信可能になるときに開始する。なお、第２の蓄電装置バランス処理は、第１の蓄電装置バランス処理と異なり、さらに、通信部２１が電力変換装置１２と通信可能、サブスイッチ１４を介して別の蓄電装置１０と並列に接続される場合に、開始することが好ましい。
【００４７】
ステップＳ２００、Ｓ２０１において、制御部２２は、第１の蓄電装置バランス処理におけるステップＳ１００、Ｓ１０１と同じ動作を実行する。ステップＳ２０１において、通信後、プロセスはステップＳ２０２に進む。
【００４８】
ステップＳ２０２では、制御部２２は、ステップＳ２００において取得した電圧値、およびステップＳ２０１において取得した電圧値の中の最大値および最小値の差が第１の閾値を超えるか否かを判別する。第１の閾値を超えない場合、プロセスはステップＳ２１０に進む。第１の閾値を超えない場合、プロセスはステップＳ２０３に進む。
【００４９】
ステップＳ２０３では、制御部２２は、ステップＳ２００において取得した電圧値が、ステップＳ２０１において取得した電圧値と比べて、最低値であるか否かを判別する。最低値である場合、プロセスはステップＳ２００に戻る。最低値で無い場合、プロセスはステップＳ２０４に進む。
【００５０】
ステップＳ２０４では、制御部２２は、ステップＳ２００において取得した電圧値から、ステップＳ２０１において取得した電圧値の中の最低値を減じた差が、第１の閾値を超えるか否かを判別する。第１の閾値を超えない場合、プロセスはステップＳ２００に戻る。第１の閾値を超える場合、プロセスはステップＳ２０５に進む。
【００５１】
ステップＳ２０５からＳ２０９では、制御部２２は、それぞれ第１の蓄電装置バランス処理におけるステップＳ１０４からＳ１０８と同じ動作を実行する。ステップＳ２０９において、放電の停止後、プロセスはステップＳ２００に戻る。
【００５２】
前述のように、ステップＳ２０２から電圧値の中の最大値および最小値の差が第１の閾値を超えない場合に進むプロセスはステップＳ２１０では、制御部２２は、当該差が第２の閾値を超えるか否かを判別する。第２の閾値を超えていない場合、プロセスはステップＳ２１６に進む。第２の閾値を超えている場合、プロセスはステップＳ２１１に進む。
【００５３】
ステップＳ２１１では、制御部２２は、第２の上側目標電圧または下側目標電圧を算出する。算出後、プロセスはステップＳ２１２に進む。
【００５４】
ステップＳ２１２では、制御部２２は、対応するサブスイッチ１４を閉じて、蓄電部１９を別の蓄電部１９と通電可能な状態に切替える。サブスイッチ１４を閉じた後、プロセスはステップＳ２１３に進む。
【００５５】
ステップＳ２１３では、制御部２２は、放電部２０から蓄電部１９全体の電圧値を取得する。電圧値の取得後、プロセスはステップＳ２１４に進む。
【００５６】
ステップＳ２１４では、制御部２２は、ステップＳ２１３において取得した電圧値が、ステップＳ２１１において算出した第２の上側目標電圧または第２の下側目標電圧に到達したか否か、すなわち、電圧値が第２の上側目標電圧以下または第２の下側目標電圧以上であるか否かを判別する。第２の上側目標電圧または第２の下側目標電圧に到達していない場合、プロセスはステップＳ２１３に戻る。第２の上側目標電圧または第２の下側目標電圧に到達した場合、プロセスはステップＳ２１５に進む。
【００５７】
ステップＳ２１５では、制御部２２は、対応するサブスイッチ１４を開いて、蓄電部１９を別の蓄電部１９に対して通電停止の状態に切替える。サブスイッチ１４を開いた後、プロセスはステップＳ２００に戻る。
【００５８】
前述のように、ステップＳ２１０から電圧値の中の最大値および最小値の差が第２の閾値を超えない場合に進むプロセスはステップＳ２１６では、制御部２２は、電力変換装置１２に、電力の入出力の許可を示す情報を通知する。通知後、第２の蓄電装置バランス処理は終了する。
【００５９】
以上のような構成の本実施形態の蓄電装置１０は、自身の蓄電部１９の電気的状態から、別の蓄電装置１０の蓄電部１９の電気的状態を減じた差が第１の閾値を超える場合、自身の放電部２０に蓄電部１９の放電を実行させる。一般的に、複数の蓄電装置１０の製造後、その中の一部を需要家施設に設置して、蓄電システム１１が構築される。複数の蓄電装置１０では、製造後から需要家施設への設置までの間に、自然放電などにより、それぞれの蓄電部１９の電気的状態に差が生じる。電気的状態の差が大きなまま、複数の蓄電装置１０を並列に接続して、互いに通電させる場合、蓄電装置１０および接続に用いるサブスイッチ１４などが損傷する可能性がある。それゆえ、同じ蓄電システム１１を構築する複数の蓄電装置１０の電気的状態の差を、通電前に低減させることが求められている。差の低減のために電気的状態が大きな蓄電装置１０を放電させることが考えられるが、当該差が大きい場合、損傷の可能性の低い程度まで低減させるのに多大な時間を要することがある。需要家施設への蓄電システム１１の構築後の引渡しまでに、作業者には蓄電システム１１の通電の確認が求められる。それゆえ、需要家施設の設置後に蓄電装置１０の放電を実行すると、通電の確認を行うまでに作業者は長時間の待機、または引渡しまでの期間の長期化を引き起こす。一方で、上述のような構成の蓄電装置１０は、例えば、図５に示すように、同じ蓄電システム１１を構成する複数の蓄電装置１０の通信部２１を接続することにより、複数の蓄電装置１０それぞれの蓄電部１９の電気的状態の差を低減し得る。複数の蓄電装置１０の通信部２１の接続は、需要家施設だけでなく、例えば、出荷前の工場内、または工場からの搬送時にも行える。それゆえ、蓄電装置１０は、蓄電システム１１の構築前に、自身を含む複数の蓄電装置１０の電気的状態の差を低減し得る。したがって、蓄電装置１０は、作業者の待機負担を低減させ得るという、充放電の有用性を向上し得る。
【００６０】
また、本実施形態の蓄電装置１０は、別の蓄電装置１０の蓄電部１９の電気的状態と、自身の蓄電部１９の電気的状態との差が第１の閾値より小さい第２の閾値を超える場合、開閉により蓄電部１９の通電停止状態および通電可能状態を切替えるサブスイッチ１４を閉じさせる。このような構成により、蓄電装置１０は、図１に示すように、サブスイッチ１４を介して、別の蓄電装置１０と並列に接続されることにより、蓄えられた電力を無駄に放電すること無く、複数の蓄電装置１０それぞれの蓄電部１９の電気的状態の差を低減し得る。
【００６１】
また、本実施形態の蓄電装置１０は、別の蓄電装置１０の蓄電部１９の電気的状態と、自身の蓄電部１９の電気的状態との差が第２の閾値未満である場合、電力変換装置１２に自身の蓄電装置１０からの電力の入出力の適否に関する情報を通知する。このような構成により、蓄電装置１０は、構築された蓄電システム１１の中で、自身の蓄電装置１０、メインスイッチ１３、およびサブスイッチ１４などにおける損傷の発生の低い状態という、蓄電システム１１全体の安全な駆動の判断材料を電力変換装置１２に提供し得る。
【００６２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００６３】
例えば、本実施形態の、検出される電気的状態が電圧である構成において、第１の閾値および第２の閾値と比較する差は、自身の蓄電部１９の電気的状態から別の蓄電装置１０の蓄電部１９の電気的状態を減じた差であるが、電気的状態の種類によっては別の蓄電装置１０の蓄電部１９の電気的状態から自身の蓄電部１９の電気的状態を減じた差であってよい。値が大きくなるほど高い電圧値を示す種類の電気的状態を検出する構成においては、自身の蓄電部１９の電気的状態から、別の蓄電装置１０の蓄電部１９の電気的状態を減じた差が、第１の閾値などと比較されてよい。一方、値が大きくなるほど低い電圧値を示す種類の電気的状態を検出する構成においては、別の蓄電装置１０の蓄電部１９の電気的状態から、自身の蓄電部１９の電的状態を減じた差が、第１の閾値などと比較されてよい。
【符号の説明】
【００６４】
１０  蓄電装置
１１  蓄電システム
１２  電力変換装置
１３  メインスイッチ
１４  サブスイッチ
１５  系統
１６  電源回路部
１７  通信部
１８  制御部
１９  蓄電部
２０  放電部
２１  通信部
２２  制御部
【図１】
2020141463.tif 000003
【図２】
2020141463.tif 000004
【図３】
2020141463.tif 000005
【図４】
2020141463.tif 000006
【図５】
2020141463.tif 000007